(57)【要約】【課題】釘、ねじ等の固定具を直接外壁材に打ち込んだりすることなく外壁材を壁下地に取り付けることができ、小さな領域が軒天井の下部等に残ってしまっても、所望の大きさに切断した外壁材を壁下地に取り付けて前記領域を無くすことができる外壁材取付金具を提供する。【解決手段】建築物の壁下地２に外壁材３を取り付けるために用いられる外壁材取付金具１に関する。前記外壁材取付金具１は、前記外壁材３と係合される係合部４と、前記壁下地２に固定される固定部５とを設けて形成されている。前記係合部４は、前記外壁材３の上部又は下部を切断して現れた切断面に引っ掛けて係合するための引掛部７を設けて形成されている。前記固定部５は、前記壁下地２に突き刺して固定するための爪部９を設けて形成されている。【選択図】図１
2010106556.tif 000002
【特許請求の範囲】
【請求項１】
建築物の壁下地に外壁材を取り付けるために用いられる外壁材取付金具であって、前記外壁材取付金具は、前記外壁材と係合される係合部と、前記壁下地に固定される固定部とを設けて形成され、前記係合部は、前記外壁材の上部又は下部を切断して現れた切断面に引っ掛けて係合するための引掛部を設けて形成されていると共に、前記固定部は、前記壁下地に突き刺して固定するための爪部を設けて形成されていることを特徴とする外壁材取付金具。
【請求項２】
請求項１に記載の外壁材取付金具を用いて建築物の窓枠の下部の壁下地に外壁材を取り付けると共に、支え片及び固定片を設けて形成された受け金具を用いて前記窓枠の上部の壁下地に他の外壁材を取り付けることによって形成された外壁材取付構造であって、前記窓枠の下部に取り付けられる外壁材の上部を切断して現れた切断面に溝が形成され、前記溝に前記係合部の引掛部を引っ掛けることによって、前記外壁材と前記係合部とが係合されており、前記固定部が前記窓枠の下部の壁下地に爪部を突き刺すことによって固定されていると共に、前記窓枠の上部に取り付けられる外壁材の下部を切断して現れた切断面に溝が形成され、前記溝に前記受け金具の支え片を引っ掛けることによって、前記外壁材と前記受け金具とが係合されていると共に、前記受け金具の固定片が前記窓枠の上部の壁下地に固定されていることを特徴とする外壁材取付構造。
【発明の詳細な説明】
【技術分野】
【０００１】
本発明は、建築物の壁下地に外壁材を取り付けるために用いられる外壁材取付金具及びこの外壁材取付金具を用いて建築物の壁下地に外壁材を取り付けることによって形成された外壁材取付構造に関するものである。
【背景技術】
【０００２】
従来、多くの建築物の外壁材３は図１４や図１５に示すように取り付けられている。具体的には、まず図１４に示すように基礎２３の上に土台２４を設置し、この土台２４の上に複数の柱２５を所定間隔をあけて立設する。次に各柱２５の屋外側に防水紙２６を張設した後、この防水紙２６を介して各柱２５の屋外側に壁下地２（縦胴縁）を設置する。その後、この壁下地２に下から順に外壁材３を左右隣接させて取り付けていくものであるが、このとき各外壁材３は壁下地２に固定された複数の支持金具（図示省略）によって支持されているものである。
【０００３】
そして、このようにして複数の外壁材３を下から順に取り付けていくと、やがて軒天井３４の下部において通常の外壁材３の大きさよりも小さな領域が残ってしまう場合がある。この場合、既に取り付けた外壁材３の上にさらに外壁材３を取り付けようとすると軒天井３４が邪魔になるので、軒天井３４の下部に残った領域は通常の外壁材３のままでは覆い隠すことができない。
【０００４】
そこで、このような場合には、図１６に示すように、外壁材３の上部の余分な箇所を切り落とし、所望の大きさに形成した外壁材３を釘、ねじ等の固定具３８を用いて壁下地２に取り付けることによって、軒天井３４の下部に残った領域を覆い隠すようにしている。
【０００５】
しかし、図１６に示す場合にあっては、釘、ねじ等の固定具３８を直接外壁材３に打ち込んだりねじ込んだりしているので、外観が悪くなるおそれがある。なお、図１６において、３９はスペーサーであって、外壁材３と壁下地２との間の隙間を確保するためのものであり、また３５及び３６はそれぞれシーリング及びバックアップ材であって、外壁材３と軒天井３４との間の隙間を充填するためのものである。
【０００６】
ところで、外壁材３は、窓を形成する箇所を避けて取り付けられるが、このような場合に外壁材３を窓枠３７の側端部に近接させて取り付けることができるようにしたサイディング取付金具が知られている（例えば、特許文献１参照。）。そして特に特許文献１に記載のサイディング（外壁材３）の上部及び下部にはサイディング取付金具が使用できるようにあらかじめ上サネ及び下サネが設けられている。
【０００７】
しかし、窓枠３７の下縁の高さと外壁材３の上縁の高さが一致するのは稀であり、通常は図１４や図１５に示すように両者の高さは一致しない。これは、窓枠３７の上縁の高さと外壁材３の下縁の高さについても同様である。そのため、窓枠３７の下部又は上部に通常の外壁材３の大きさよりも小さな領域が残ってしまう場合がある。この場合、既に取り付けた外壁材３の上又は下にさらに外壁材３を取り付けようとすると窓の一部を塞いでしまうことになるので、窓枠３７の下部又は上部に残った領域は通常の外壁材３のままでは覆い隠すことができない。
【０００８】
そこで、このような場合には、図１７に示すように、外壁材３の上部又は下部の余分な箇所を切り落とし、所望の大きさに形成した外壁材３を釘、ねじ等の固定具３８を用いて壁下地２に取り付けることによって、窓枠３７の下部又は上部に残った領域を覆い隠すようにしている。この場合、外壁材３を所望の大きさに形成するために上サネ又は下サネを余分な箇所として切り落としてしまっているので、特許文献１に記載されているような従来のサイディング取付金具は使用することができなくなり、上記のように釘、ねじ等の固定具３８を使用せざるを得なくなるものである。
【０００９】
しかし、図１７に示す場合にあっても、図１６に示す場合と同様に、釘、ねじ等の固定具３８を直接外壁材３に打ち込んだりねじ込んだりしているので、外観が悪くなるおそれがある。なお、図１７において、３９はスペーサーであって、外壁材３と壁下地２（横胴縁）との間の隙間を確保するためのものであり、また３５及び３６はそれぞれシーリング及びバックアップ材であって、外壁材３と窓枠３７との間の隙間を充填するためのものである。
【特許文献１】特開２００７−２１７９７２号公報
【発明の開示】
【発明が解決しようとする課題】
【００１０】
本発明は上記の点に鑑みてなされたものであり、釘、ねじ等の固定具を直接外壁材に打ち込んだりねじ込んだりすることなく外壁材を壁下地に取り付けることができると共に、複数の外壁材を隣接させて壁下地に取り付けていく場合に、通常の外壁材の大きさよりも小さな領域が軒天井の下部や窓枠の上部・下部に残ってしまったとしても、所望の大きさに切断した外壁材を壁下地に取り付けることによって前記領域を覆い隠して無くすことができる外壁材取付金具及び外壁材取付構造を提供することを目的とするものである。
【課題を解決するための手段】
【００１１】
本発明の請求項１に係る外壁材取付金具は、建築物の壁下地２に外壁材３を取り付けるために用いられる外壁材取付金具１であって、前記外壁材取付金具１は、前記外壁材３と係合される係合部４と、前記壁下地２に固定される固定部５とを設けて形成され、前記係合部４は、前記外壁材３の上部又は下部を切断して現れた切断面に引っ掛けて係合するための引掛部７を設けて形成されていると共に、前記固定部５は、前記壁下地２に突き刺して固定するための爪部９を設けて形成されていることを特徴とするものである。
【００１２】
本発明の請求項２に係る外壁材取付構造は、請求項１に記載の外壁材取付金具１を用いて建築物の窓枠３７の下部の壁下地２に外壁材３を取り付けると共に、支え片４１及び固定片４２を設けて形成された受け金具４３を用いて前記窓枠３７の上部の壁下地２に他の外壁材３を取り付けることによって形成された外壁材取付構造であって、前記窓枠３７の下部に取り付けられる外壁材３の上部を切断して現れた切断面に溝６が形成され、前記溝６に前記係合部４の引掛部７を引っ掛けることによって、前記外壁材３と前記係合部４とが係合されており、前記固定部５が前記窓枠３７の下部の壁下地２に爪部９を突き刺すことによって固定されていると共に、前記窓枠３７の上部に取り付けられる外壁材３の下部を切断して現れた切断面に溝６が形成され、前記溝６に前記受け金具４３の支え片４１を引っ掛けることによって、前記外壁材３と前記受け金具４３とが係合されていると共に、前記受け金具４３の固定片４２が前記窓枠３７の上部の壁下地２に固定されていることを特徴とするものである。
【発明の効果】
【００１３】
本発明の請求項１に係る外壁材取付金具によれば、釘、ねじ等の固定具を直接外壁材に打ち込んだりねじ込んだりすることなく外壁材を壁下地に取り付けることができると共に、複数の外壁材を隣接させて壁下地に取り付けていく場合に、通常の外壁材の大きさよりも小さな領域が軒天井の下部や窓枠の上部・下部に残ってしまったとしても、所望の大きさに切断した外壁材を壁下地に取り付けることによって前記領域を覆い隠して無くすことができるものである。
【００１４】
本発明の請求項２に係る外壁材取付構造によれば、釘、ねじ等の固定具を直接外壁材に打ち込んだりねじ込んだりすることなく外壁材を壁下地に取り付けることができると共に、複数の外壁材を隣接させて壁下地に取り付けていく場合に、通常の外壁材の大きさよりも小さな領域が窓枠の上部・下部に残ってしまったとしても、所望の大きさに切断した外壁材を壁下地に取り付けることによって前記領域を覆い隠して無くすことができるものである。
【発明を実施するための最良の形態】
【００１５】
以下、本発明の実施の形態を説明する。
【００１６】
図１は本発明に係る外壁材取付金具の一例を示すものであり、これは、建築物の壁下地２に外壁材３を取り付けるために用いられるものである。そしてこの外壁材取付金具１は、係合部４と固定部５とを設けて形成されている。
【００１７】
係合部４は、外壁材３と係合されるものであって、図１（ａ）に示すように、略逆Ｕ字板状に形成された固定部５に引掛部７を設けて形成されている。引掛部７は、固定部５の上端略中央部から突出して設けられた突出片１３と、この突出片１３の先端から水平に設けられた水平片１４と、この水平片１４の先端から垂下して突出片１３と向き合うように設けられた引掛片１５とからなり、断面略コ字状に形成されている。そして引掛部７の引掛片１５は、屋外側に位置しており、図１（ｂ）に示すように、外壁材３の上部（又は下部）を切断して現れた切断面に形成された溝６に引っ掛けられるものである。このようにして、外壁材３と係合部４とを強固に係合することができるものである。なお、溝６は、外壁材３の切断面の全長にわたって形成してもよいし、外壁材取付金具１を取り付ける所定箇所のみに形成してもよい。
【００１８】
また、固定部５は、図１に示すように、壁下地２に固定されるものであって、略逆Ｕ字板状に形成され、その下端両側縁からそれぞれ屋内側に突出された爪部９を設けて形成されている。
【００１９】
図２は本発明に係る外壁材取付金具の他の一例を示すものであり、この外壁材取付金具１も、係合部４と固定部５とを設けて形成されている。なお、固定部５は図１に示すものと同じである。
【００２０】
図２（ａ）に示す係合部４は、略逆Ｕ字板状に形成された固定部５に引掛部７を設けて形成されている。引掛部７は、固定部５の上端略中央部から突出して設けられた突出片１３と、この突出片１３の先端から水平に設けられた水平片１４と、この水平片１４の先端から垂下して突出片１３と向き合うように設けられた引掛片１５とからなり、断面略コ字状に形成されている。そして図２（ｂ）に示すように、引掛部７の水平片１４の長さは外壁材３の厚みと略同一であり、また引掛部７の引掛片１５は、外壁材３の屋外側の面に引っ掛けられるものである。この場合には、外壁材３の切断面に溝６を形成する作業を省略することができると共に、外壁材３と係合部４とを強固に係合することができるものである。
【００２１】
図３は本発明に係る外壁材取付金具の他の一例を示すものであり、この外壁材取付金具１も、係合部４と固定部５とを設けて形成されている。なお、固定部５は図１に示すものと同じである。
【００２２】
図３（ａ）に示す係合部４は、略逆Ｕ字板状に形成された固定部５に引掛部７を設けて形成されている。引掛部７は、固定部５の上端略中央部から突出して設けられた突出片１３と、この突出片１３の先端から水平に設けられた水平片１４と、この水平片１４の先端から垂下して突出片１３と向き合うように設けられた引掛片１５とからなり、断面略コ字状に形成されている。そして引掛部７の引掛片１５は、先端に向かって幅が狭くなる台形状に鋭利に形成され、屋外側に位置しており、図３（ｂ）に示すように、外壁材３の上部（又は下部）を切断して現れた切断面に突き刺して引っ掛けられるものである。この場合には、外壁材３の切断面に溝６を形成する作業を省略することができると共に、外壁材３の厚みについて特に制限を受けることなく、外壁材３と係合部４とを強固に係合することができるものである。
【００２３】
図４は本発明に係る外壁材取付金具の他の一例を示すものであり、この外壁材取付金具１も、係合部４と固定部５とを設けて形成されている。なお、固定部５は図１に示すものと同じである。
【００２４】
図４（ａ）に示す係合部４は、略逆Ｕ字板状に形成された固定部５に引掛部７を設けて形成されている。引掛部７は、固定部５の上端略中央部から突出して設けられた突出片１３と、この突出片１３の先端から固定部５の側に傾斜させて設けられた傾斜片４４とからなり、断面略Ｖ字状に形成されている。そして引掛部７の傾斜片４４は、屋外側に位置しており、図４（ｂ）に示すように、外壁材３の上部（又は下部）を屋外側に下り傾斜（又は上り傾斜）するように切断して現れた切断面に引っ掛けられるものである。この場合には、外壁材３の切断面に溝６を形成する作業を省略することができると共に、外壁材３の厚みについて特に制限を受けることなく、外壁材３と係合部４とを強固に係合することができるものである。
【００２５】
図５は本発明に係る外壁材取付金具の他の一例を示すものであり、この外壁材取付金具１も、係合部４と固定部５とを設けて形成されている。なお、固定部５は図１に示すものと同じである。
【００２６】
図５（ａ）に示す係合部４は、略逆Ｕ字板状に形成された固定部５に引掛部７を設けて形成されている。引掛部７は、固定部５の上端略中央部から突出して設けられた突出片１３と、この突出片１３の先端から水平に設けられた水平片１４と、この水平片１４の先端から垂下して突出片１３と向き合うように設けられた引掛片１５とからなり、断面略コ字状に形成されている。そして引掛部７の引掛片１５は、屋外側に位置しており、図５（ｂ）に示すように、外壁材３の上部（又は下部）を段差状に切断して現れた引掛突部４０の切断面に引っ掛けられるものである。このようにして、外壁材３と係合部４とを強固に係合することができるものである。なお、引掛部７の水平片１４の長さは引掛突部４０の厚みと略同一である。
【００２７】
上記のように形成された外壁材取付金具１を用いて建築物の壁下地２に外壁材３を取り付けることによって、図６に示すように外壁材取付構造を形成することができる。なお、図６において、外壁材取付金具１は簡略化して図示している。また、以下では、図１に示す外壁材取付金具１を用いる場合について説明するが、図２〜図５に示す外壁材取付金具１を用いる場合も略同様である。
【００２８】
まず図１４に示すように基礎２３の上に土台２４を設置し、この土台２４の上に複数の柱２５を所定間隔をあけて立設する。次に各柱２５の屋外側に防水紙２６を張設した後、この防水紙２６を介して各柱２５の屋外側に壁下地２（縦胴縁）を設置する。その後、この壁下地２に下から順に外壁材３を左右隣接させて取り付けていくものであるが、このとき各外壁材３は、図６に示すように、壁下地２に固定された複数の支持金具２７によって支持されているものである。支持金具２７は、押さえ片２８と支持片２９とを設けて形成されており、押さえ片２８によって、外壁材３の上部に設けられた被押さえ部３０を押さえて、支持金具２７より下に位置する外壁材３を固定することができると共に、支持片２９によって、外壁材３の下部に設けられた被支持部３１を支持して、支持金具２７より上に位置する外壁材３を固定することができるものである。なお、各外壁材３において、被押さえ部３０の屋外側には切欠部３２が形成され、被支持部３１の屋外側には突起部３３が形成されており、下に位置する外壁材３の切欠部３２に、上に位置する外壁材３の突起部３３が嵌まり込むことによって、屋外から支持金具２７の押さえ片２８及び支持片２９が見えないようになっている。
【００２９】
そして、上記のようにして複数の外壁材３を下から順に取り付けていくと、図６（ａ）に示すように、やがて軒天井３４の下部において通常の外壁材３の大きさよりも小さな領域が残ってしまう場合がある。この場合、既に取り付けた外壁材３の上にさらに外壁材３を取り付けようとすると軒天井３４が邪魔になるので、軒天井３４の下部に残った領域は通常の外壁材３のままでは覆い隠すことができない。
【００３０】
そこで、このような場合には、図６（ａ）（ｂ）に示すように、まず外壁材３の上部の余分な箇所を切り落とし、外壁材３を所望の大きさに形成する。図６（ａ）において、切断箇所を破線イで示す。次に図６（ｂ）に示すように外壁材３の上部を切断して現れた切断面に溝６を形成する。この溝６は、適宜の加工工具を用いて施工現場において容易に形成することができる。ここで、外壁材３としては、図６に示すような中実のものだけではなく、図７（ａ）に示すような中空孔６０が内部に複数設けられたものも用いることができる。そしてこのような外壁材３の場合も、まず上部の余分な箇所を切り落とし、外壁材３を所望の大きさに形成する。図７（ｂ）において、切断箇所を破線イで示す。次に図７（ｃ）（ｄ）に示すように外壁材３の上部を切断して現れた切断面に溝６を形成する。このとき溝６は、例えば、図７（ｄ）に示すように中空孔６０の屋内側の側面を基準として形成することができる。このような溝６も、適宜の加工工具を用いて施工現場において容易に形成することができる。
【００３１】
そして、図６（ｃ）に示すように外壁材３の切断面に形成した溝６に係合金具４の引掛部７の引掛片１５を引っ掛けることによって、この外壁材３と係合部４とを係合する。その後、図６（ｃ）（ｄ）に示すように、固定部５の爪部９を壁下地２に突き刺して固定部５を壁下地２に固定する。このとき係合部４に係合された外壁材３の被支持部３１は支持金具２７の支持片２９によって支持されることになる。そして最後にシーリング３５及びバックアップ材３６を用いて外壁材３と軒天井３４との間の隙間を充填すると、外壁材取付構造が形成され、軒天井３４の下部に残った領域を完全に覆い隠すことができるものである。なお、固定部５は、図１（ｂ）に示すように、爪部９をスペーサー３９を介して壁下地２に突き刺して固定するようにしてもよい。
【００３２】
図８は、窓枠３７の下部及び上部に通常の外壁材３の大きさよりも小さな領域が残ってしまう場合にも、この領域を所望の大きさに形成した外壁材３及び外壁材取付金具１を用いて完全に覆い隠すことができることを示すものである。窓枠３７の下部の場合については、軒天井３４の場合と同様の手順で外壁材３を取り付けることになるので説明は省略するが、窓枠３７の上部の場合については、外壁材取付金具１を逆向きに用いて外壁材３を取り付けることになる。すなわち、まず外壁材３の下部の余分な箇所を切り落とし、外壁材３を所望の大きさに形成する。次に外壁材３の下部を切断して現れた切断面に溝６を形成する。そしてこの溝６に係合部４の引掛部７の引掛片１５を引っ掛けることによって、この外壁材３と係合部４とを係合する。その後、固定部５の爪部９を壁下地２に突き刺して固定部５を壁下地２に固定する。このとき係合部４に係合された外壁材３の被押さえ部３０は支持金具２７の押さえ片２８によって押さえられることになる。そして最後にシーリング３５及びバックアップ材３６を用いて外壁材３と窓枠３７との間の隙間を充填すると、外壁材取付構造が形成され、窓枠３７の上部に残った領域を完全に覆い隠すことができるものである。
【００３３】
上記のように本発明によれば、釘、ねじ等の固定具３８を直接外壁材３に打ち込んだりねじ込んだりすることなく外壁材３を壁下地２に取り付けることができるものである。また、複数の外壁材３を隣接させて壁下地２に取り付けていく場合に、通常の外壁材３の大きさよりも小さな領域が軒天井３４の下部や窓枠３７の上部・下部に残ってしまったとしても、係合部４と固定部５とを設けて形成された外壁材取付金具１を用いて、所望の大きさに切断した外壁材３を壁下地２に取り付けることによって、軒天井３４の下部や窓枠３７の上部・下部に残った領域を覆い隠して無くすことができるものである。
【００３４】
図９は、窓枠３７の下部及び上部の壁下地２に外壁材３を取り付けて形成される外壁材取付構造の他の一例を示すものである。窓枠３７の下部の場合については、軒天井３４の場合と同様の手順で外壁材３を取り付けることになるので説明は省略するが、窓枠３７の上部の場合については、受け金具４３を用いて外壁材３を取り付けることになる。
【００３５】
ここで、受け金具４３は、図１１に示すように、支え片４１及び固定片４２を設けて形成されている。具体的には、受け金具４３は、窓枠３７の上部の壁下地２に固定される固定片４２と、この固定片４２の下端から屋外側に下り傾斜させて設けられた下り傾斜片４９と、この下り傾斜片４９の下端から垂下して設けられ、外壁材３の背面に当接される背面当接片５０と、この背面当接片５０の下端から水平に設けられ、外壁材３の底面に当接される底面当接片５１と、この底面当接片５１の先端から上向きに突出して設けられた支え片４１とを備えて形成されている。なお、固定片４２には、釘、ねじ等の固定具３８を挿入して窓枠３７の上部の壁下地２に固定するための固定孔５２が形成されている。
【００３６】
また、図１１に示す受け金具４３の代わりに、図１２や図１３に示す受け金具４３を用いることもできる。図１２に示す受け金具４３は、窓枠３７の上部の壁下地２に固定される固定片４２と、この固定片４２の上端から水平に設けられ、外壁材３の底面に当接される底面当接片５１と、この底面当接片５１の途中から上向きに突出して設けられ、外壁材３の背面に当接される背面当接片５０と、底面当接片５１の先端から上向きに突出して設けられた支え片４１とを備えて形成されている。なお、固定片４２には、釘、ねじ等の固定具３８を挿入して窓枠３７の上部の壁下地２に固定するための固定孔５２が形成されているが、この固定孔５２は固定片４２の下端縁において開口されている。他方、図１３に示す受け金具４３は、底面当接片５１の長さが外壁材３の厚みと略同一である以外は、図１１に示すものと同一である。
【００３７】
以下では、図１１に示す受け金具４３を用いる場合について説明するが、図１２及び図１３に示す受け金具４３を用いる場合も略同様である。なお、図１２及び図１３に示す受け金具４３を用いる場合には、外壁材３の切断面に溝６を形成する作業を省略することができる。
【００３８】
そして、まず必要に応じて外壁材３の下部の余分な箇所を切り落とし、外壁材３を所望の大きさに形成する。次に外壁材３の下部を切断して現れた切断面に溝６を形成する。一方、釘、ねじ等の固定具３８を用いて受け金具４３の固定片４２を壁下地２に固定した後、外壁材３の切断面に形成した溝６に受け金具４３の支え片４１を引っ掛けることによって、この外壁材３と受け金具４３とを図９（ａ）に示すように係合する。そして最後に図９（ｂ）に示すようにシーリング３５及びバックアップ材３６を用いて外壁材３と窓枠３７との間の隙間を充填すると、外壁材取付構造が形成され、窓枠３７の上部に残った領域を完全に覆い隠すことができるものである。なお、図９において、５３は防水テープである。また、バックアップ材３６としては、図１０に示すように、弾性体で形成され、断面略円形状のものを用いるようにしてもよい。
【００３９】
上記のように本発明によれば、釘、ねじ等の固定具３８を直接外壁材３に打ち込んだりねじ込んだりすることなく外壁材３を壁下地２に取り付けることができると共に、複数の外壁材３を隣接させて壁下地２に取り付けていく場合に、通常の外壁材３の大きさよりも小さな領域が窓枠３７の上部・下部に残ってしまったとしても、所望の大きさに切断した外壁材３を壁下地２に取り付けることによって前記領域を覆い隠して無くすことができるものである。
【図面の簡単な説明】
【００４０】
【図１】本発明に係る外壁材取付金具の一例を示すものであり、（ａ）は斜視図、（ｂ）は外壁材を壁下地に取り付けた状態を示す概略断面図である。
【図２】本発明に係る外壁材取付金具の他の一例を示すものであり、（ａ）は斜視図、（ｂ）は外壁材を壁下地に取り付けた状態を示す概略断面図である。
【図３】本発明に係る外壁材取付金具の他の一例を示すものであり、（ａ）は斜視図、（ｂ）は外壁材を壁下地に取り付けた状態を示す概略断面図である。
【図４】本発明に係る外壁材取付金具の他の一例を示すものであり、（ａ）は斜視図、（ｂ）は外壁材を壁下地に取り付けた状態を示す概略断面図である。
【図５】本発明に係る外壁材取付金具の他の一例を示すものであり、（ａ）は斜視図、（ｂ）は外壁材を壁下地に取り付けた状態を示す概略断面図である。
【図６】本発明に係る外壁材取付構造を形成する工程の一例を示すものであり、（ａ）〜（ｅ）は概略断面図である。
【図７】外壁材の切断面に溝を形成する工程の一例を示すものであり、（ａ）〜（ｄ）は断面図である。
【図８】本発明に係る外壁材取付構造の他の一例を示す概略断面図である。
【図９】（ａ）は本発明に係る外壁材取付構造の他の一例を示す斜視図、（ｂ）は同上の概略断面図である。
【図１０】本発明に係る外壁材取付構造の他の一例を示す概略断面図である。
【図１１】受け金具の一例を示すものであり、（ａ）は斜視図、（ｂ）は外壁材と受け金具を係合した状態を示す概略断面図である。
【図１２】受け金具の他の一例を示すものであり、（ａ）は斜視図、（ｂ）は外壁材と受け金具を係合した状態を示す概略断面図である。
【図１３】受け金具の他の一例を示すものであり、（ａ）は斜視図、（ｂ）は外壁材と受け金具を係合した状態を示す概略断面図である。
【図１４】建築物の分解斜視図である。
【図１５】建築物の正面図である。
【図１６】従来の外壁材取付構造の一例を示す概略断面図である。
【図１７】従来の外壁材取付構造の他の一例を示す概略断面図である。
【符号の説明】
【００４１】
１  外壁材取付金具
２  壁下地
３  外壁材
４  係合部
５  固定部
６  溝
７  引掛部
９  爪部
４１  支え片
４２  固定片
４３  受け金具
【図１】
2010106556.tif 000003
【図２】
2010106556.tif 000004
【図３】
2010106556.tif 000005
【図４】
2010106556.tif 000006
【図５】
2010106556.tif 000007
【図６】
2010106556.tif 000008
【図７】
2010106556.tif 000009
【図８】
2010106556.tif 000010
【図９】
2010106556.tif 000011
【図１０】
2010106556.tif 000012
【図１１】
2010106556.tif 000013
【図１２】
2010106556.tif 000014
【図１３】
2010106556.tif 000015
【図１４】
2010106556.tif 000016
【図１５】
2010106556.tif 000017
【図１６】
2010106556.tif 000018
【図１７】
2010106556.tif 000019